(57)【特許請求の範囲】
【請求項１】
各階の室内の床や天井に設置された複数の空調機の熱交換器の上部又は上側部に、低濃度のオゾン水を噴射するオゾン洗浄管をそれぞれ設け、他方各階の床や天井に沿って共通のオゾン配管を設け、上記各オゾン洗浄管をバルブを介して上記オゾン配管に接続すると共にそのオゾン配管に、低濃度のオゾンを供給するオゾン水発生機を接続し、上記各バルブを順次開閉すると共にオゾン水発生機を作動する制御装置を設けたことを特徴とする空調機の局所洗浄殺菌装置。
【請求項２】
各熱交換器下方のドレンパンにオゾン排水管を接続し、そのオゾン排水管を、各階の床や天井に沿って設けた共通のドレン配管に接続し、そのドレン配管より洗浄後のオゾン水を排水する請求項１記載の空調機の局所洗浄殺菌装置。
【請求項３】
ドレン配管が、オゾン水発生機に接続され、ドレン配管中の洗浄後のオゾン水にオゾンが注入されてオゾン配管に循環される請求項２記載の空調機の局所洗浄殺菌装置。
【請求項４】
オゾン配管は、各階を通る縦管と、その縦管に接続され各階の床や天井に沿って設けられる横管とで構成し、その横管と上記各オゾン洗浄管とがバルブを介して接続される請求項１〜３いずれかに記載の空調機の局所洗浄殺菌装置。
【請求項５】
ドレン配管は、各階を通る縦管と、その縦管に接続され各階の床や天井に沿って設けられる横管とで構成し、その横管と上記各オゾン排水管と接続される請求項２〜４いずれかに記載の空調機の局所洗浄殺菌装置。
【発明の詳細な説明】
【０００１】
【発明の属する技術分野】
本発明は、既製の空調機内の熱交換器やドレンパン等に付着する微生物を殺菌するための空調機の局所洗浄殺菌装置に関するものである。
【０００２】
【従来の技術】
室内空気中の浮遊微生物は、アトピーや花粉症等のアレルギー、食品の腐敗や医薬品の汚染、さらには病院での院内感染等さまざまな障害を引き起こす原因となる。
【０００３】
パッケージエアコンユニットやファンコイルユニット（天吊型，床置型）の既製の空調機の洗浄，清掃に関しては、フィルター交換や吹出口，吸込口等、手の届く範囲の清掃だけという状態であり、熱交換器やドレンパン等に付着している微生物を殺菌することはなされていない。
【０００４】
従来、空調機の殺菌システムとして、紫外線を用いたものがあるが、有機物等の付着（ゴミ，ほこり等）がある場合、紫外線がゴミやほこり等で遮られてしまい有効な殺菌効果が得られず、また紫外線ランプの交換時期も早く、メンテナンス上不備な点がある。
【０００５】
本発明者らは、先に特願平８−８８２３８号にて、既設の空調機内の熱交換器をスポット洗浄殺菌するスポット洗浄殺菌装置を提案した。
【０００６】
このスポット洗浄殺菌装置は、空調機内の熱交換器上にオゾン水洗浄具を設置し、オゾン水発生機からのオゾン水を可撓チューブを介してオゾン水洗浄具にオゾン水を供給してスポット洗浄を行うようにしたものである。
【０００７】
【発明が解決しようとする課題】
このスポット洗浄殺菌装置は、可搬性を考慮したものであるが、空調機のタイプによっては、例えば天吊型や開閉蓋のない空調機には適用できない。また、空調機の局所洗浄とオゾン発生機とがワン・バイ・ワンであり、多数の空調機を洗浄するには、その都度洗浄殺菌装置をセットしなければならず効率が落ちる。
【０００８】
特に、これら空調機は、ビル用の大型空調機と違って既製品であり、室毎に多数設置されるため、これらを有効に洗浄殺菌するのは困難である。
【０００９】
そこで、本発明の目的は、上記課題を解決し、多数の空調機の熱交換器やドレンパンを有効に殺菌洗浄できる空調機の局所洗浄殺菌装置を提供することにある。
【００１０】
【課題を解決するための手段】
上記の目的を達成するために請求項１の発明は、各階の室内の床や天井に設置された複数の空調機の熱交換器の上部又は上側部に、低濃度のオゾン水を噴射するオゾン洗浄管をそれぞれ設け、他方各階の床や天井に沿って共通のオゾン配管を設け、上記各オゾン洗浄管をバルブを介して上記オゾン配管に接続すると共にそのオゾン配管に、低濃度のオゾンを供給するオゾン水発生機を接続し、上記各バルブを順次開閉すると共にオゾン水発生機を作動する制御装置を設けた空調機の局所洗浄殺菌装置である。
【００１１】
請求項２の発明は、各熱交換器下方のドレンパンにオゾン排水管を接続し、そのオゾン排水管を、各階の床や天井に沿って設けた共通のドレン配管に接続し、そのドレン配管より洗浄後のオゾン水を排水する請求項１記載の空調機の局所洗浄殺菌装置である。
【００１２】
請求項３の発明は、ドレン配管が、オゾン水発生機に接続され、ドレン配管中の洗浄後のオゾン水にオゾンが注入されてオゾン配管に循環される請求項２記載の空調機の局所洗浄殺菌装置である。
【００１３】
請求項４の発明は、オゾン配管は、各階を通る縦管と、その縦管に接続され各階の床や天井に沿って設けられる横管とで構成し、その横管と上記各オゾン洗浄管とがバルブを介して接続される請求項１〜３いずれかに記載の空調機の局所洗浄殺菌装置である。
【００１４】
請求項５の発明は、ドレン配管は、各階を通る縦管と、その縦管に接続され各階の床や天井に沿って設けられる横管とで構成し、その横管と上記各オゾン排水管と接続される請求項２〜４いずれかに記載の空調機の局所洗浄殺菌装置である。
【００１５】
【発明の実施の形態】
以下、本発明の好適一実施の形態を添付図面に基づいて詳述する。
【００１６】
図１において、１０は、既製品であるパッケージエアコンユニットやファンコイルユニットからなる空調機で、各室内の床に設置されたり（床置型）、天井に埋め込まれたり（天吊型）、或いは壁に掛けられたり（壁掛け型）など種々のタイプのものからなっている。
【００１７】
この各空調機１０の内部には、図３（ａ），（ｂ），（ｃ）に示すように熱交換器２０の上部に位置してオゾン洗浄管２１が設けられ、オゾン洗浄管２１のノズル２２から噴射された低濃度のオゾン水が、熱交換器２０のフィンプレート２３と冷媒管２４を伝って下方のドレンパン２５に流下するようになっている。また図３（ｄ）に示すようにオゾン洗浄管２１を熱交換器２０の一側面の上下に配置し、上下のノズル２２からオゾン水を噴射するようにしても、図３（ｃ）に示すように熱交換器２０の両側面上部に配置し、ノズル２２から上向きにオゾン水を噴射するようにしてもよい。
【００１８】
各オゾン洗浄管２１は、図１に示すようにバルブ１１を介して共通のオゾン配管１２に接続され、そのオゾン配管１２が、オゾン水発生機１３に接続される。
【００１９】
オゾン水発生機１３は、詳細は図示していないが、オゾナイザに空気或いは酸素富化空気を供給してオゾンを発生させ、このオゾンを水に溶解させてオゾン水を生成するもので、生成したオゾン水は、貯留タンクに適宜溜められ、その貯蔵タンクよりポンプでオゾン配管１２にオゾン水を供給するようになっている。
【００２０】
オゾン配管１２に供給するオゾン水濃度は、０．１ｍｇ／ｌ〜数ｍｇ／ｌの低濃度のオゾン水とし、オゾン水から発生する気相オゾン濃度が、０．１ｐｐｍ〜数ｐｐｍの低濃度気相オゾンとして無害なものとし、居室における脱臭効果をも発揮するようにする。
【００２１】
各オゾン洗浄管２１に接続されるバルブ１１は、制御装置１４にて開閉制御され、空調機１０の空調運転停止時に、オゾン水発生機１３を作動すると共に各バルブ１１を順次開閉動するようになっている。
【００２２】
次に本発明の作用を述べる。
【００２３】
制御装置１４は、各室の空調機１０が、空調運転が停止されている時、その空調機１０内を洗浄殺菌すべく、バルブ１１を順次開閉する。このバルブ１１の開閉は、オゾン水発生機１３のオゾン水供給量に応じて１台づつでも、数台同時にオゾン水を供給するよう開閉する。
【００２４】
オゾン水による洗浄殺菌は、１台当たり数十分行い、洗浄殺菌を終えたならば、その空調機１０のバルブ１１を閉じて、他の空調機１０のバルブ１１を開いて順次殺菌して行く。
【００２５】
このように、各空調機１０をオゾン配管１２で連結し、バルブ１１を順次開閉することで、１台のオゾン水発生機１３で多数の空調機１０を洗浄殺菌することが可能となる。
【００２６】
図２は本発明の他の実施の形態を示したものである。
【００２７】
本実施の形態においては、各熱交換器２０下方のドレンパン２５（図３）にオゾン排水管１５を接続し、そのオゾン排水管１５を共通のドレン配管１６に接続し、そのドレン配管１６より洗浄後のオゾン水を排水するようにし、またこのドレン配管１６とオゾン水発生機１３とを循環ライン１７で結び、洗浄後のオゾン水の一部または全部をオゾン水発生機１３に戻して再度オゾンガスを溶解させた後、オゾン配管１２に循環するよう構成したものである。
【００２８】
図１の実施の形態においては、ドレンパン２５に流下したオゾン水は、冷房時に生じたドレン水と同様に排水するが、本形態では、ドレンパン２５を共通のドレン排水管１５で接続して洗浄後のオゾン水を再使用できるようにしたものである。これによりオゾン水発生機１３をより小型化できる効果がある。
【００２９】
図４は、本発明のさらに他の実施形態を示したものである。
【００３０】
図３の形態において、空調機１０は既製品で、既に天井や床に設置されている場合に、オゾン洗浄管２１を取り付けるのに適しているが、本例の場合、空調機１０の製造段階で、熱交換器２０の上部に冷媒管２４と共にフィンプレート２３と一体にオゾン洗浄管２１ａを取り付けておくようにしたものである。この場合、ノズル２２ａは、フィンプレート２３間で仕切られるため、フィン全体に沿ったスリット状にして形成する。
【００３１】
このように予めオゾン洗浄管２１ａを取り付けておくことで、後取付工事が不要となる。
【００３２】
また、図５（ａ），（ｂ）は、天井埋め込み型に採用されている円筒状の熱交換器２０ｂの場合の形態を示し、洗浄管２１ｂをリング状に形成し、そのリングに沿ってノズル２２ｂを形成したものである。
【００３３】
図６は、実際の建屋に設置されている空調機１０の局所洗浄殺菌装置を示したものである。
【００３４】
図において、１０ｆは、床置型空調機を示し、１０ｃは天吊型空調機を示している。
【００３５】
オゾン水発生機１３は、任意の階の床３１に設置し、そのオゾン水発生機１３に接続するオゾン配管１２は、各階を通る縦管１２ａと、床上に敷設される横管１２ｆと天井３３上に設置される横管１２ｆで構成し、その横管１２ｆ，１２ｃの縦管１２ａの接続部近傍にバルブ３２ｆ，３２ｃを接続すると共に対応する空調機１０ｆ，１０ｃ内のオゾン水洗浄管２１（図示せず）とバルブ１１を介して接続する。
【００３６】
またドレン配管１６も同様に、縦管１６ａと横管１６ｆ，１６ｃで構成し、その横管１６ｆ，１６ｃを、空調機１０ｆ，１０ｃ内のドレンパン（図示せず）と接続したオゾン排水管１５に接続する。
【００３７】
制御装置１４は、図示していないが図１，図２と同様に各階のバルブ１１を順次開閉動するようになっている。
【００３８】
各空調機１０からドレン排水管１６の横管１２ｆ，１２ｃへの排水は、重力で流れるように適宜傾斜を持たせるか或いはポンプで強制排水するように構成してもよい。
【００３９】
【発明の効果】
以上要するに本発明によれば、各空調機をオゾン配管で連結し、バルブを順次開閉することで、１台のオゾン水発生機で多数の空調機を洗浄殺菌することが可能となる。
【図面の簡単な説明】
【図１】本発明の一実施の形態を示す概略図である。
【図２】本発明の他の実施の形態を示す概略図である。
【図３】本発明において、空調機に設けるオゾン水洗浄管の詳細を示す図である。
【図４】図３の他の形態を示す図である。
【図５】図３のさらに他の形態を示す図である。
【図６】図２の形態の建屋から見た詳細を示す図である。
【符号の説明】
１０  空調機
１１  バルブ
１２  オゾン配管
１４  制御装置
【図１】
0003995743.tif 000002
【図２】
0003995743.tif 000003
【図３】
0003995743.tif 000004
【図４】
0003995743.tif 000005
【図５】
0003995743.tif 000006
【図６】
0003995743.tif 000007